(57)【特許請求の範囲】
【請求項１】
原稿を読み取る原稿読取部と、
操作者からの原稿読取サイズの指定を受け付ける読取サイズ受付部と、
前記原稿読取部による読取の対象となる原稿のサイズを検知する原稿サイズ検知部と、
前記原稿サイズ検知部により検知された原稿のサイズに応じて、当該原稿が白紙か否かを判定する閾値として用いる白紙判定画素数を設定する白紙判定画素数設定部と、
前記原稿読取部により読み取られた原稿の画像に含まれる非白画素の画素数が前記白紙判定画素数以下である場合、当該原稿を白紙と判定する白紙判定部とを備え、
前記白紙判定画素数設定部は、
前記原稿サイズ検知部により検知された原稿サイズが、前記読取サイズ受付部に受け付けられた原稿読取サイズよりも小さい場合、前記原稿サイズ検知部により検知された原稿のサイズに応じた前記白紙判定画素数を設定し、
前記原稿サイズ検知部により検知された原稿サイズが、前記読取サイズ受付部に受け付けられた原稿読取サイズ以上である場合、前記読取サイズ受付部に受け付けられた原稿読取サイズに応じた前記白紙判定画素数を設定し、
更に、前記白紙判定画素数設定部は、前記非白画素の画素数が前記白紙判定画素数から予め定められた範囲内である場合には、前記原稿読取部により読み取られた原稿の画像が示す当該原稿の主走査方向及び副走査方向の画素数に応じて原稿幅及び原稿長を決定し、当該原稿幅及び原稿長によって示される原稿サイズに対応付けられている前記白紙判定画素数を設定する画像読取装置。
【請求項２】
前記白紙判定部は、前記原稿読取部による搬送で原稿が連続して読み取られる場合に、読取対象とされた原稿に用いた前記白紙判定画素数を、当該原稿に続く次頁の原稿にも用いて、白紙判定を行う請求項１に記載の画像読取装置。
【請求項３】
前記白紙判定部は、前記原稿読取部による搬送で原稿の両面が読み取られる場合に、原稿の裏面に対して、当該原稿の表面に用いた前記白紙判定画素数を用いて、白紙判定を行う請求項１又は請求項２に記載の画像読取装置。
【請求項４】
請求項１乃至請求項３のいずれかに記載の画像読取装置と、
記録媒体に対して画像形成を行う画像形成部と、
前記画像読取装置により読み取られた原稿の画像を用いて、前記画像形成部に前記記録媒体に対する画像形成を行わせる制御部とを備え、
前記制御部は、前記読み取られた原稿が前記白紙判定部により白紙と判定されたとき、前記読み取られた原稿の画像を用いた前記画像形成部による画像形成動作を禁止する画像形成装置。
【発明の詳細な説明】
【技術分野】
【０００１】
本発明は、画像読取装置及び画像形成装置に関し、特に、白紙原稿を検出する技術に関する。
【背景技術】
【０００２】
白紙原稿を検出して無駄なコピーやファクシミリ送信を行わないようにする技術が提案され、そして実用化されている。例えば、下記の特許文献１には、白紙原稿を検出すると、画像の読み取りを一時停止してユーザーの指示を待つことが記載されている。また、下記の特許文献２には、白紙原稿を検出すると、その原稿の読取を中止することが記載され、更に、白紙領域の検知量が所定の白紙原稿判定基準量を超えた場合に、その原稿を白紙と判断する技術が記載されている。
【先行技術文献】
【特許文献】
【０００３】
【特許文献１】特開２００６−１９１２２８号公報
【特許文献２】特開２０１２−２２２７９１号公報
【発明の概要】
【発明が解決しようとする課題】
【０００４】
特許文献２に記載された発明は、原稿先端部から白紙原稿判定基準量（例えば、８ｃｍ）以上、白紙領域が続く場合、その原稿を白紙と判断することが記載されているが、原稿全体から判断するわけではないので、白紙原稿の検出精度が高いとはいえない。さらに、ここでは、原稿サイズを検知し、その原稿サイズに応じて、白紙原稿判定基準量を増加させることが記載されている。しかしこれは、所定の原稿サイズ（おそらく定型サイズ）毎に白紙原稿判定基準量が設定されており、これに応じて大きいサイズの原稿であれば、白紙原稿判定基準量を増加させるというものである。従って、実際に検知した原稿サイズに応じて、細かく閾値を変えようというものではない。他に、白紙判断の精度を良くする方法としては、白紙の判断に用いる判定基準量（閾値）を、操作者により指定された原稿読取サイズに応じて設定する方法が考えられるが、これも定型サイズを選択することで原稿サイズとするものであれば、操作者により指定された原稿読取サイズが実際の原稿サイズと異なる場合、例えば、定型サイズのものより１０ｍｍ長い原稿であった場合、白紙原稿か否かの検出精度が低下する。
【０００５】
本発明は、上記の事情に鑑みなされたものであり、白紙原稿か否かの検出精度を高めることを目的とする。
【課題を解決するための手段】
【０００６】
本発明の一局面に係る画像読取装置は、原稿を読み取る原稿読取部と、
操作者からの原稿読取サイズの指定を受け付ける読取サイズ受付部と、
前記原稿読取部による読取の対象となる原稿のサイズを検知する原稿サイズ検知部と、
前記原稿サイズ検知部により検知された原稿のサイズに応じて、当該原稿が白紙か否かを判定する閾値として用いる白紙判定画素数を設定する白紙判定画素数設定部と、
前記原稿読取部により読み取られた原稿の画像に含まれる非白画素の画素数が前記白紙判定画素数以下である場合、当該原稿を白紙と判定する白紙判定部とを備え、
前記白紙判定画素数設定部は、
前記原稿サイズ検知部により検知された原稿サイズが、前記読取サイズ受付部に受け付けられた原稿読取サイズよりも小さい場合、前記原稿サイズ検知部により検知された原稿のサイズに応じた前記白紙判定画素数を設定し、
前記原稿サイズ検知部により検知された原稿サイズが、前記読取サイズ受付部に受け付けられた原稿読取サイズ以上である場合、前記読取サイズ受付部に受け付けられた原稿読取サイズに応じた前記白紙判定画素数を設定する。
【発明の効果】
【０００７】
本発明によれば、検知された実際の原稿のサイズに応じて、原稿が白紙か否かを判定する閾値として用いる白紙判定画素数を異ならせて設定し、原稿に含まれる非白画素の画素数が白紙判定画素数以下である場合には、当該原稿を白紙と判定するため、実際の原稿のサイズに応じた白紙原稿か否かの判定を従来よりも高精度に行うことができる。
【図面の簡単な説明】
【０００８】
【図１】本発明の第１実施形態に係る画像形成装置の構造を示した模式的な部分断面正面図である。
【図２】原稿幅センサー、及び原稿長センサーから出力される信号と、原稿のサイズとの関係を示した図である。
【図３】第１実施形態に係る画像形成装置の主要内部構成を概略的に示した機能ブロック図である。
【図４】表示部に表示される操作画面の一例を示した図である。
【図５】第１実施形態に係る画像形成装置における制御ユニットの行う処理動作の一例を示したフローチャートである。
【図６】（Ａ）〜（Ｃ）は、検知された実際の原稿サイズ、指定された読取サイズ、及び白紙判定に有効なエリアの関係を説明するための説明図である。
【図７】画像形成装置による制御ユニットの行う処理動作の第２実施形態の一例を示したフローチャートである。
【図８】画像形成装置による制御ユニットの行う処理動作の第２実施形態の一例を示したフローチャートである。
【発明を実施するための形態】
【０００９】
以下、本発明の一実施形態に係る画像読取装置及び画像形成装置について図面を参照して説明する。図１は、本発明の第１実施形態に係る画像形成装置の構造を示した模式的な部分断面正面図である。画像形成装置１は、例えば、コピー機能、プリンター機能、スキャナー機能、及びファクシミリ機能のような複数の機能を兼ね備えた複合機であり、装置本体１１に、操作部４７、原稿給送部６、及び原稿読取部５を含んで構成されている。
【００１０】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。
【００１１】
画像形成装置１で原稿読取動作が行われる場合について説明する。原稿給送部６により給送されてくる原稿、又は原稿載置ガラス１６１に載置された原稿の画像を、原稿読取部５が光学的に読み取り、そして画像データを生成する。原稿読取部５により生成された画像データは、内蔵ＨＤＤ（Hard Disk Drive）、又はネットワーク接続されたコンピューター等に保存される。
【００１２】
原稿読取部５は、光照射部及びＣＣＤ（Charge Coupled Device）センサー等を備えており、原稿読取部５は、光照射部を使って原稿を照射し、その反射光をＣＣＤセンサーで受光することによって、原稿から画像を読み取る。なお、紙面垂直方向が主走査方向（原稿が読み取られる方向と交差する方向）となり、図中の左右方向が副走査方向（原稿が読み取られる方向）となる。
【００１３】
原稿給送部６は、原稿を載置する原稿トレイ６ａと、原稿トレイ６ａに原稿が載置されているか否かを検知する原稿有無センサー６ｂと、原稿トレイ６ａに載置された原稿の幅を合わせるための原稿ガイド（図示せず）に設けられた、原稿幅Ｗ（原稿の主走査方向における長さ）を検知する原稿幅センサー６ｃと、原稿トレイ６ａの基準位置から予め定められた位置（例えば、２５０ｍｍ）に配置された原稿長センサー６ｄとを含んで構成されている。原稿有無センサー６ｂ、原稿幅センサー６ｃ、及び原稿長センサー６ｄは、反射型の光学センサーであり、光を照射する照射部と原稿からの反射光を受光する受光部とを備えている。
【００１４】
原稿幅センサー６ｃは、例えば、原稿トレイ６ａに載せられた原稿の幅方向における移動を規制する原稿ガイドに配設されている。操作者が、原稿の幅方向位置を揃えるために、原稿幅方向において原稿の両側方に設けられている各原稿ガイドを原稿幅方向に移動させて、原稿端部位置で停止させると、原稿幅センサー６ｃは、当該両原稿ガイド間の距離を、原稿トレイ６ａに載せられた原稿の幅として検出する。また、本実施形態では、原稿幅センサー６ｃは、原稿幅Ｗが予め定められた大きさ（例えば、２８０ｍｍ）以上である場合、ＯＮ信号を出力し、原稿幅Ｗがその大きさ未満である場合、ＯＦＦ信号を出力する。すなわち、原稿幅センサー６ｃがＯＮ信号を出力する場合、原稿トレイ６ａに載せられた原稿の原稿幅Ｗは２８０ｍｍ以上であり、原稿幅センサー６ｃがＯＦＦ信号を出力する場合、原稿トレイ６ａに載せられた原稿の原稿幅Ｗは２８０ｍｍ未満である。
【００１５】
原稿長センサー６ｄは、原稿給送部６による原稿の搬送位置に配置されている。原稿長センサー６ｄは、その配置位置に原稿が存在するか否かを検出する。すなわち、原稿長センサー６ｄが原稿有りと検出した時点から当該検出の終了時点までの時間及び原稿給送部６による原稿搬送速度に基づいて、原稿の原稿長Ｌ（原稿の副走査方向における長さ）が検出可能である。原稿長センサー６ｄは、原稿トレイ６ａに載せられた原稿の原稿長Ｌは２５０ｍｍ以上である場合にＯＮ信号を出力し、当該原稿の原稿長Ｌが２５０ｍｍ未満である場合にＯＦＦ信号を出力する。
【００１６】
原稿載置ガラス１６１の下方には、原稿載置ガラス１６１に載置された原稿の原稿幅Ｗを検知する原稿幅センサー１６１ａと、原稿の原稿長Ｌを検知する原稿長センサー１６１ｂとが設置されている。原稿幅センサー１６１ａ、及び原稿長センサー１６１ｂは、反射型の光学センサーであり、光を照射する照射部と原稿からの反射光を受光する受光部とを備えている。
【００１７】
原稿幅センサー１６１ａは、原稿載置ガラス１６１に載置された原稿の原稿幅Ｗが予め定められた大きさ（例えば、２８０ｍｍ）以上である場合、ＯＮ信号を出力し、原稿幅Ｗがその大きさ未満である場合、ＯＦＦ信号を出力する。また、原稿長センサー１６１ｂも、原稿幅センサー１６１ａと同様に、原稿載置ガラス１６１に載置された原稿の原稿長Ｌが予め定められた大きさ（例えば、２５０ｍｍ）以上である場合、ＯＮ信号を出力し、原稿長Ｌがその大きさ未満である場合、ＯＦＦ信号を出力する。
【００１８】
図２は、原稿幅センサー６ｃ，１６１ａ、及び原稿長センサー６ｄ，１６１ｂから出力される信号と、原稿のサイズとの関係を示した図であり、例えば、原稿幅センサー６ｃ，１６１ａからの信号がＯＮ信号であり、原稿長センサー６ｄ，１６１ｂからの信号がＯＮ信号である場合、原稿トレイ６ａ又は原稿載置ガラス１６１に載置されている原稿のサイズは「Ａ３」であると分かる。
【００１９】
画像形成装置１で画像形成動作が行われる場合について説明する。原稿読取動作により生成された画像データや、内蔵ＨＤＤに記憶されている画像データ、ネットワーク接続されたコンピューターから受信した画像データ等に基づいて、画像形成部１２が、給紙部１４から給紙される記録紙（記録媒体）としての用紙Ｐにトナー像を形成する。
【００２０】
画像形成部１２は、ブラック（Ｂｋ）用の画像形成ユニット１２Ｂｋ、イエロー（Ｙ）用の画像形成ユニット１２Ｙ、シアン（Ｃ）用の画像形成ユニット１２Ｃ、及びマゼンタ（Ｍ）用の画像形成ユニット１２Ｍを含んで構成され、これら画像形成ユニット１２Ｂｋ，１２Ｙ，１２Ｃ，１２Ｍはそれぞれドラム型の感光体１２１Ｂｋ，１２１Ｙ，１２１Ｃ，１２１Ｍを備え、感光体１２１Ｂｋ，１２１Ｙ，１２１Ｃ，１２１Ｍは、図中の反時計回りに回転駆動するようになっている。
【００２１】
トナーコンテナ１７Ｂｋ，１７Ｙ，１７Ｃ，１７Ｍはそれぞれブラック用、イエロー用、シアン用、マゼンタ用のトナーを収納するものであり、感光体１２１Ｂｋ，１２１Ｙ，１２１Ｃ，１２１Ｍから離れた位置に、中間転写ベルト１２５を挟んで上方に、装置本体１１に設けられたトナーコンテナ装着部（図示せず）に着脱自在に装着されている。
【００２２】
転写ユニット１２０は、その外周面にトナー像が転写される中間転写ベルト１２５、駆動ローラー１２５ａ、従動ローラー１２５ｂ、及び一次転写ローラー１２６を含んで構成されている。
【００２３】
中間転写ベルト１２５は、駆動ローラー１２５ａと従動ローラー１２５ｂとの間に張架され、感光体１２１Ｂｋ，１２１Ｙ，１２１Ｃ，１２１Ｍの周面に当接した状態で駆動ローラー１２５ａによって駆動され、感光体１２１Ｂｋ，１２１Ｙ，１２１Ｃ，１２１Ｍと同期しながら、無端走行する。
【００２４】
次に、カラー印刷が行われる場合について説明する。感光体１２１Ｂｋ，１２１Ｙ，１２１Ｃ，１２１Ｍの周囲が一様に帯電され（帯電工程）、電荷を帯びた感光体１２１Ｂｋ，１２１Ｙ，１２１Ｃ，１２１Ｍの表面に、画像データに基づいて、レーザー光が照射されて潜像が形成され（露光工程）、潜像がトナーで可視像化され（現像工程）、可視像化することによって形成されたトナー像が一次転写ローラー１２６によって中間転写ベルト１２５上に転写されるようになっている。
【００２５】
中間転写ベルト１２５上に転写される各色（ブラック、イエロー、シアン、マゼンタ）のトナー像は、転写タイミングを調整して中間転写ベルト１２５上で重ね合わされ、カラーのトナー像となる。
【００２６】
二次転写ローラー２１０は、中間転写ベルト１２５の表面に形成されたカラーのトナー像を、中間転写ベルト１２５を挟んだ、駆動ローラー１２５ａとのニップ部Ｎにおいて、給紙部１４から搬送路１９０を搬送されてきた用紙Ｐに転写させるものである。なお、ここまで説明したのはカラー印刷の場合であり、モノクロ印刷の場合には、イエロー用、シアン用、及びマゼンタ用の感光体１２１Ｙ，１２１Ｃ，１２１Ｍは使用されず、ブラック用の感光体１２１Ｂｋだけが使用されることになる。
【００２７】
定着部１３は、熱圧着によりトナー像を用紙Ｐに定着させるものであり、定着処理が施されたカラー画像形成済みの用紙Ｐは、排出トレイ１５１に排出されることになる。
【００２８】
給紙部１４は、複数の給紙カセット１４１を備え、及び各給紙カセット１４１に収容された記録紙をピックアップするためのピックアップローラー１４５を含んで構成され、操作者による指示等で指定されたサイズの記録紙をピックアップするように、対応するピックアップローラー１４５を回転駆動させて、指定された記録紙をニップ部Ｎに向けて搬送するものである。
【００２９】
図３は、画像形成装置１の主要内部構成を概略的に示した機能ブロック図である。画像形成装置１は、制御ユニット１０、原稿給送部６、原稿読取部５、画像形成部１２、画像メモリー３２、ＨＤＤ９２、定着部１３、原稿幅センサー１６１ａ、原稿長センサー１６１ｂ、操作部４７、ファクシミリ通信部７１、及びネットワークインターフェイス部９１を含んで構成されている。なお、図１に示した画像形成装置１と同様の構成部分については同符号を付し、ここではその詳しい説明を省略する。
【００３０】
原稿給送部６は、読取対象の原稿を原稿読取部５へ給送するとともに、原稿有無センサー６ｂ、原稿幅センサー６ｃ、及び原稿長センサー６ｄを備え、原稿トレイ６ａにおける原稿の有無情報、原稿トレイ６ａに載置されている原稿の原稿幅Ｗ及び原稿長Ｌの情報を制御ユニット１０へ送信する。
【００３１】
原稿読取部５は、原稿から画像を読み取る。
【００３２】
画像形成部１２は、印刷すべき画像のトナー像を用紙上に形成する。
【００３３】
画像メモリー３２は、原稿読取部５による読み取りで得られた原稿の画像データを一時的に記憶したり、画像形成部１２のプリント対象となるデータを一時的に保存したりするための領域である。
【００３４】
ＨＤＤ９２は、原稿読取部５によって読み取られた原稿画像等を記憶する大容量の記憶装置である。
【００３５】
定着部１３は、用紙上のトナー像を、熱圧着により用紙に定着させる。
【００３６】
原稿幅センサー１６１ａ、原稿長センサー１６１ｂはそれぞれ、原稿載置ガラス１６１に載置されている原稿の原稿幅Ｗ、原稿長Ｌの情報を制御ユニット１０へ送信する。
【００３７】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００３８】
ファクシミリ通信部７１は、図示しない符号化・複合化部、変復調部、及びＮＣＵ（Network Control Unit）等を備え、公衆電話回線網を用いてのファクシミリの通信を行うものである。
【００３９】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター（パソコン）等の外部装置２０と種々のデータの送受信を行うものである。
【００４０】
制御ユニット１０は、ＣＰＵ（Central Processing Unit）、ＲＡＭ（Random Access Memory）、ＲＯＭ（Read Only Memory）、及び専用のハードウェア回路を含んで構成される。制御ユニット１０は、画像形成装置１の全体的な動作制御を司る制御部１００と、設定受付部１０１と、原稿サイズ検知部１０４と、白紙判定画素数設定部１０５と、白紙判定部１０６とを備えている。
【００４１】
制御ユニット１０は、ＨＤＤ９２にインストールされている制御プログラムに従った動作により、制御部１００、設定受付部１０１、原稿サイズ検知部１０４、白紙判定画素数設定部１０５、及び白紙判定部１０６として機能するものである。但し、制御部１００等は、制御ユニット１０による制御プログラムに従った動作によらず、それぞれハードウェア回路により構成することも可能である。以下、特に触れない限り、各実施形態について同様である。
【００４２】
制御部１００は、原稿給送部６、原稿読取部５、画像形成部１２、画像メモリー３２、ＨＤＤ９２、定着部１３、原稿幅センサー１６１ａ、原稿長センサー１６１ｂ、操作部４７、ファクシミリ通信部７１、及びネットワークインターフェイス部９１と接続され、これら各部の駆動制御を行う。
【００４３】
設定受付部１０１は、操作者からの各種設定を受け付けるものであり、読取サイズ受付部１０２と、両面印刷受付部１０３とを備える。例えば、操作部４７が操作されて「原稿読取サイズ指定」が操作者から要求されると、読取サイズ受付部１０２は、図４に示すような、選択ボタンＢ１〜Ｂ４が形成された原稿読取サイズ指定画面Ｄ１を表示部４７３に表示し、操作部４７を介して行われる設定を受け付ける。
【００４４】
両面印刷受付部１０３は、操作部４７が操作されて「両面印刷」が操作者から要求されると、その要求を受け付ける。
【００４５】
原稿サイズ検知部１０４は、原稿幅センサー６ｃ，１６１ａ及び原稿長センサー６ｄ，１６１ｂからの信号に基づいて、原稿トレイ６ａ又は原稿載置ガラス１６１に載置されている原稿のサイズを検知する。
【００４６】
白紙判定画素数設定部１０５は、複数の原稿サイズに応じて対応付けられたそれぞれに、白紙判定に用いる非白画像基準量となる白紙判定画素数Ｔを記憶している。白紙判定画素数設定部１０５は、原稿のサイズに応じて、白紙判定画素数Ｔを設定する。白紙判定画素数Ｔは、原稿が白紙か否かを判定する閾値として用いられる。
【００４７】
白紙判定部１０６は、原稿読取部５により読み取られた原稿に含まれる非白画素の画素数が白紙判定画素数Ｔ以下である場合は当該原稿を白紙と判定し、当該非白画素の画素数が白紙判定画素数Ｔ未満である場合は当該原稿を白紙ではないと判定する。
【００４８】
なお、本発明の一実施形態に係る画像読取装置は、原稿読取部５と、制御部１００と、設定受付部１０１と、原稿サイズ検知部１０４と、白紙判定画素数設定部１０５と、白紙判定部１０６とを備えている。但し、当該画像読取装置は、少なくとも、原稿読取部５と、読取サイズ受付部１０２と、原稿サイズ検知部１０４と、白紙判定画素数設定部１０５と、白紙判定部１０６とを備えていればよい。
【００４９】
次に、画像形成装置１の制御ユニット１０で行われる処理動作の一例について、図５に示したフローチャートに基づいて説明する。なお、この処理動作は、例えば、操作者から操作部４７を介して原稿トレイ６ａ又は原稿載置ガラス１６１に載置された原稿のコピーが要求された場合に行われる動作である。以下、コピー動作が要求された場合を例にして、説明する。
【００５０】
まず、原稿サイズ検知部１０４が、原稿有無センサー６ａからの原稿有無の情報に基づいて、原稿トレイ６ａに原稿が載置されているか否かを判断し（Ｓ１）、原稿サイズ検知部１０４が、原稿トレイ６ａに原稿が載置されていると判断すれば（Ｓ１でＹＥＳ）、原稿サイズ検知部１０４は、原稿幅センサー６ｃからの原稿幅Ｗを示した情報、及び原稿長センサー６ｄからの原稿長Ｌを示した情報に基づいて、原稿トレイ６ａに載置されている原稿のサイズを検知する（Ｓ２）。例えば、原稿幅センサー６ｃからの信号がＯＮ信号であり、原稿長センサー６ｄからの信号がＯＦＦ信号である場合、図２に示したように、原稿トレイ６ａに載置されている原稿のサイズは「Ａ４」であると分かる。
【００５１】
一方、原稿サイズ検知部１０４が、原稿トレイ６ａに原稿が載置されていないと判断すれば（Ｓ１でＮＯ）、原稿サイズ検知部１０４は、原稿幅センサー１６１ａからの原稿幅Ｗを示した情報、及び原稿長センサー１６１ｂからの原稿長Ｌを示した情報に基づいて、原稿載置ガラス１６１に載置されている原稿のサイズを検知する（Ｓ３）。
【００５２】
続いて、白紙判定画素数設定部１０５が、操作者から原稿読取サイズが指定されているか否かを判断する（Ｓ４）。すなわち、読取サイズ受付部１０２によって、操作者からの「原稿読取サイズ指定」の要求が受け付けられているか否かを判断する。
【００５３】
白紙判定画素数設定部１０５が、操作者から原稿読取サイズが指定されていると判断すれば（Ｓ４でＹＥＳ）、白紙判定画素数設定部１０５は、（読取サイズ受付部１０２によって受け付けられた）操作者から指定された読取サイズを示した情報に基づいて、原稿サイズ検知部１０４で検知された原稿サイズが指定された読取サイズよりも小さいか否かを判断する（Ｓ５）。
【００５４】
白紙判定画素数設定部１０５が、原稿サイズ検知部１０４で検知された原稿サイズが指定された読取サイズよりも小さいと判断すれば（Ｓ５でＹＥＳ）、白紙判定画素数設定部１０５は、原稿サイズ検知部１０４で検知された原稿サイズに応じた白紙判定画素数Ｔを設定する（Ｓ６）。一例として、白紙判定画素数Ｔは、原稿の全画素数に対する「２の１６乗分の１（≒０．００００１６）」程度に設定される。例えば、原稿サイズ「Ａ４」の画素数が「７０１４×４９６０」である場合、白紙判定画素数Ｔは「５５７（≒７０１４×４９６０×０．００００１６」となる。原稿サイズがこれよりも小さい場合に対しては、各サイズの原稿に応じて算出された、原稿サイズ「Ａ４」の白紙判定画素数Ｔよりも非白画像基準量が少ない白紙判定画素数Ｔが用意されている。
【００５５】
一方、白紙判定画素数設定部１０５が、原稿サイズ検知部１０４で検知された原稿サイズが指定された読取サイズよりも小さくない、すなわち、当該検知された原稿サイズが指定された読取サイズ以上であると判断すれば（Ｓ５でＮＯ）、白紙判定画素数設定部１０５は、指定された読取サイズに応じた白紙判定画素数Ｔを設定する（Ｓ７）。
【００５６】
図６（Ａ）に示すように、検知された実際の原稿サイズＤＳ１が指定された読取サイズ「Ａ３」と同じである場合、白紙判定に有効なエリアＥ１は読取サイズと同じになるので、白紙判定画素数Ｔは操作者から指定された読取サイズ「Ａ３」に応じて、「１１１４（＝５５７×２）」に設定される。
【００５７】
また、図６（Ｂ）に示すように、検知された実際の原稿サイズＤＳ２が指定された読取サイズ「Ａ３」よりも大きい場合でも、白紙判定に有効なエリアＥ２は読取サイズと同じにするので、白紙判定画素数Ｔは操作者から指定された読取サイズ「Ａ３」に応じて、「１１１４（＝５５７×２）」に設定される。
【００５８】
また、図６（Ｃ）に示すように、検知された実際の原稿サイズＤＳ３が「Ａ４」で、指定された読取サイズ「Ａ３」よりも小さい場合、白紙判定に有効なエリアＥ３は読取サイズよりも小さいので、白紙判定画素数Ｔは検知された実際の原稿サイズＤＳ３の「Ａ４」に応じて、「５５７」に設定される。すなわち、この場合は、指定された読取サイズ「Ａ３」よりも小さい原稿サイズに応じた白紙判定画素数Ｔ、すなわち、指定された読取サイズ「Ａ３」に応じた白紙判定画素数Ｔよりも非白画像基準量が少ない白紙判定画素数Ｔが設定される。
【００５９】
また、図５のＳ４において、白紙判定画素数設定部１０５が、操作者から原稿読取サイズが指定されていないと判断すれば（Ｓ４でＮＯ）、白紙判定画素数設定部１０５は、原稿サイズ検知部１０４で検知された原稿サイズに応じた白紙判定画素数Ｔを設定する（Ｓ６）。
【００６０】
そして、制御部１００が、原稿読取部５を制御して、原稿トレイ６ａ又は原稿載置ガラス１６１に載置されている原稿の画像を読み取らせる（Ｓ８）。この後、白紙判定部１０６が、原稿読取部５により読み取られた原稿に含まれる非白画素の画素数が白紙判定画素数Ｔよりも多いか否かを判断する（Ｓ９）。非白画素であるか否かについては、例えば、白黒の濃淡が２の８乗（＝２５６階調）で表され、画素値「０」が黒で、画素値「２５５」が白である場合、画素値「１５０」以下を非白画素と判定する。
【００６１】
白紙判定部１０６が、原稿読取部５により読み取られた原稿に含まれる非白画素の画素数が白紙判定画素数Ｔよりも多い（当該原稿は白紙でない）と判断すれば（Ｓ９でＹＥＳ）、制御部１００は、通常通り、原稿読取部５により読み取られた原稿の画像を用いて、画像形成部１２に記録紙Ｐに対する画像形成（コピー動作）を行わせる（Ｓ１０）。この後、処理はＳ１２へ進む。
【００６２】
一方、白紙判定部１０６が、原稿読取部５により読み取られた原稿に含まれる非白画素の画素数が白紙判定画素数Ｔよりも多くない（当該原稿は白紙である）と判断すれば（Ｓ９でＮＯ）、制御部１００は、画像形成部１２に記録紙Ｐに対する画像形成を行わせない（Ｓ１１）。なお、このように制御部１００がコピー動作を禁止する処理を、フローチャートでは「飛ばし処理」と示している。この後、処理はＳ１２へ進む。
【００６３】
Ｓ１２においては、白紙判定部１０６は、操作者から両面印刷が要求されているか否かを判断する（Ｓ１２）。すなわち、両面印刷受付部１０３によって、操作者からの「両面印刷」の要求が受け付けられているか否かを判断する。
【００６４】
白紙判定部１０６が、操作者から両面印刷が要求されていると判断すれば（Ｓ１２でＹＥＳ）、制御部１００が、原稿読取部５を制御して、原稿の裏面の画像を読み取らせ（Ｓ１３）、その後、白紙判定部１０６が、当該原稿の表面に用いた白紙判定画素数Ｔに基づいて、原稿読取部５により読み取られた原稿に含まれる非白画素の画素数が白紙判定画素数Ｔよりも多いか否かを判断する（Ｓ１４）。
【００６５】
白紙判定部１０６が、原稿読取部５により読み取られた原稿に含まれる非白画素の画素数が白紙判定画素数Ｔよりも多い（当該原稿の裏面は白紙でない）と判断すれば（Ｓ１４でＹＥＳ）、制御部１００は、通常通りに上記コピー動作を行わせる（Ｓ１５）。この後、処理はＳ１７へ進む。
【００６６】
一方、白紙判定部１０６が、原稿読取部５により読み取られた原稿に含まれる非白画素の画素数が白紙判定画素数Ｔよりも多くない（当該原稿の裏面は白紙である）と判断すれば（Ｓ１４でＮＯ）、制御部１００は、上記飛ばし処理としてコピー動作を禁止する（Ｓ１６）。この後、処理はＳ１７へ進む。
【００６７】
また、Ｓ１２において、白紙判定部１０６が、操作者から両面印刷が要求されていないと判断すれば（Ｓ１２でＮＯ）、Ｓ１７へ進む。
【００６８】
Ｓ１７においては、白紙判定部１０６が、原稿有無センサー６ｂからの原稿有無を示した情報に基づいて、連続して読み込む原稿が残っているか否かを判断し（Ｓ１７）、白紙判定部１０６が、連続して読み込む原稿が残っていると判断すれば（Ｓ１７でＹＥＳ）、制御部１００が、原稿読取部５を制御して、原稿トレイ６ａに載置されている原稿の画像を読み取らせ（Ｓ１８）、Ｓ９へ戻り、白紙判定部１０６は、連続して読み込まれる原稿に対して、直前の原稿に用いた白紙判定画素数Ｔに基づいて、白紙判定を行う。
【００６９】
一方、白紙判定部１０６が、連続して読み込む原稿が残っていないと判断すれば（Ｓ１７でＮＯ）、この処理動作を終了する。
【００７０】
上記第１実施形態によれば、原稿に含まれる非白画素の画素数が白紙判定画素数Ｔ以下である場合、当該原稿が白紙と判定される。すなわち、原稿全体から白紙の判定が行われる。さらに、白紙判定画素数Ｔについても、検知された実際の原稿のサイズに応じて設定されるので、白紙原稿の検出精度を高くすることができる。
【００７１】
例えば、原稿サイズが「Ａ４」で非白画素の画素数が「１０００」であり、本来「白紙でない」と判断すべきものであったとしても、読取サイズの「Ａ３」に応じて白紙判定画素数Ｔが「１１１４」に設定されていると、当該原稿は「白紙である」と判定されるが、実際の原稿サイズ「Ａ４」に応じて白紙判定画素数Ｔが「５５７」に設定されるので、当該原稿は「白紙でない」と適切に判定することができる。
【００７２】
従って、上記実施形態では、検知された実際の原稿のサイズに応じて、原稿が白紙か否かを判定する閾値として用いる白紙判定画素数を設定し、当該白紙判定画素数を用いて、原稿に含まれる非白画素の画素数が白紙判定画素数以下である場合、当該原稿が白紙と判定することで、実際の原稿のサイズに応じて白紙原稿か否かを従来よりも高精度に検出できることになる。
【００７３】
また、原稿の裏面に対しては、当該原稿の表面に用いた白紙判定画素数Ｔに基づいて白紙判定を行い、連続して読み込まれる原稿に対しても、直前の原稿に用いた白紙判定画素数Ｔに基づいて白紙判定を行うので、必要以上に白紙判定画素数Ｔの設定が行われるのを回避することができ、処理効率を向上させることができる。
【００７４】
次に、画像形成装置１の制御ユニット１０で行われる処理動作の第２実施形態について、図７、図８に示したフローチャートに基づいて説明する。図７，図８は、画像形成装置による制御ユニットの行う処理動作の第２実施形態の一例を示したフローチャートである。なお、図７に示したフローチャートは、Ｓ８とＳ９との間に「白紙判定画素数調整」に関する処理（Ｓ２０）を有する点で、図５に示したフローチャートと相違する。図５に示したフローチャートと同様の処理については説明を省略する。図８は図７におけるＳ２０の処理を示す更なるフローチャートである。
【００７５】
原稿は温度や湿度など、使用環境等の違いにより、原稿が延びたり、縮んだりすることがあり、原稿サイズ検知部１０４によって、原稿サイズが「Ａ４」であると検知されても、実際には少し大きかったり、小さかったりすることが考えられ、その場合には、白紙判定画素数Ｔについても調整するのが望ましい。
【００７６】
Ｓ２０における「白紙判定画素数調整」処理は、上記調整を行う処理である。図８に示すように、白紙判定画素数設定部１０５が、原稿読取部５により読み取られた原稿に含まれる非白画素の画素数が白紙判定画素数Ｔから予め定められた範囲内であるか否かを判断する（Ｓ２１）。例えば、非白画素の画素数が、白紙判定画素数Ｔから「±１０」の範囲内であるか、又は、予め定められた割合以内の違いであるか否かを判断する。
【００７７】
白紙判定画素数設定部１０５が、原稿読取部５により読み取られた原稿に含まれる非白画素の画素数が白紙判定画素数Ｔから予め定められた範囲内であると判断すれば（Ｓ２１でＹＥＳ）、原稿の主走査方向及び副走査方向の画素数に応じて原稿幅Ｗ及び原稿長Ｌを決定し、当該原稿幅Ｗ及び原稿長Ｌによって示されるサイズそのものを原稿サイズとし（Ｓ２２）、白紙判定画素数設定部１０５は、Ｓ２２で決定した当該原稿サイズに応じた白紙判定画素数Ｔを設定する（Ｓ２３）。この後、処理は図７のＳ９へ進む。
【００７８】
一方、白紙判定画素数設定部１０５が、原稿読取部５により読み取られた原稿の画像に含まれる非白画素の画素数が白紙判定画素数Ｔから上記予め定められた範囲内でないと判断すれば（Ｓ２１でＮＯ）、白紙判定画素数Ｔを設定し直さず、処理は図７のＳ９に移る。
【００７９】
上記第２実施形態によれば、原稿に含まれる非白画素の画素数が白紙判定画素数Ｔから予め定められた範囲内である場合、原稿サイズがより精度良く検知され、白紙判定画素数Ｔが設定し直されるので、白紙判定をより精度良く行うことができる。
【００８０】
実際の原稿サイズが「２９５ｍｍ×２０８ｍｍ」で「Ａ４（２９７ｍｍ×２１０ｍｍ）」の約９８．４％（≒２９５ｍｍ×２０８ｍｍ／２９７ｍｍ×２１０ｍｍ）の大きさで、その原稿に含まれる非白画素の画素数が「５５５」の場合を例に挙げて説明する。
【００８１】
当該原稿は、原稿サイズ検知部１０４において原稿サイズが「Ａ４」と検知され、原稿サイズ検知部１０４で検知された原稿サイズ「Ａ４」に応じて設定された白紙判定画素数Ｔは「５５７」となる。非白画素の画素数「５５５」は、白紙判定画素数Ｔの「５５７」以下であるので、当該原稿は「白紙である」と判定される。
【００８２】
一方、上記の様にして白紙判定画素数設定部１０５により決定された原稿サイズが「２９５ｍｍ×２０８ｍｍ」であり、これに応じて設定される白紙判定画素数Ｔが「５４８（≒５５７×９８．４％）」であるとすると、非白画素の画素数「５５５」は、白紙判定画素数Ｔの「５４８」以下ではないので、当該原稿は「白紙でない」と判定される。このように、白紙判定結果が異なってくるが、これは、より精度よく白紙判定が可能であることを示す。
【００８３】
また、このように設定された白紙判定画素数Ｔについても、図８に示したように、第１実施形態と同様に、原稿の裏面や、連続して読み込まれる原稿に対して採用することができる。
【００８４】
本発明は上記実施の形態の構成に限られず種々の変形が可能である。例えば、白紙判定画素数設定部１０５は、原稿サイズ検知部１０４により検知された原稿サイズが、読取サイズ受付部１０２に受け付けられた原稿読取サイズ以上であっても、当該検知された原稿のサイズが、予め定められた定型サイズに対して一定範囲内にある場合には、当該定型サイズに対応付けられた白紙判定画素数を設定するようにしてもよい。この場合、原稿サイズ検知部１０４は、原稿長センサー６ｄ，１６１ｂからの信号により原稿長さを、原稿長センサー６ｄ，１６１ａからの信号により原稿幅さを検出し、これら原稿幅Ｗ（主走査方向における長さ）及び原稿長Ｌ（副走査方向における長さ）によって示されるサイズを原稿サイズとして検知する。
【００８５】
例えば、原稿サイズ検知部１０４により検知された原稿サイズが上記定型サイズに近いにも拘わらず、読取サイズ受付部１０２に受け付けられた原稿読取サイズに対応する白紙判定画素数を白紙判定に用いると、実際の原稿サイズと当該原稿読取サイズが離れている場合には、白紙判定の精度が悪くなるが、上記検知された原稿のサイズが定型サイズに対して一定範囲内にある場合に、定型サイズに対応付けられた白紙判定画素数を設定するようにすれば、白紙判定を精度よく行うことができる。
【００８６】
また、上記実施形態では、本発明に係る通信装置の一実施形態として画像形成装置の複合機を用いて説明しているが、これは一例に過ぎず、他の電子機器、例えば、コピー機能、ファクシミリ機能を有した他の画像形成装置でもよい。
【００８７】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００８８】
１        画像形成装置
５        原稿読取部
１０      制御ユニット
１０２    読取サイズ受付部
１０４    原稿サイズ検知部
１０５    白紙判定画素数設定部
１０６    白紙判定部
【図１】
0006406213.tif 000002
【図２】
0006406213.tif 000003
【図３】
0006406213.tif 000004
【図４】
0006406213.tif 000005
【図５】
0006406213.tif 000006
【図６】
0006406213.tif 000007
【図７】
0006406213.tif 000008
【図８】
0006406213.tif 000009